(57)【要約】【課題】省エネ化および記憶装置の長寿命化を実現しながら、データへのアクセスを要する処理の時間短縮が望める画像形成装置および当該画像形成装置における記憶装置の制御方法を提供することを目的とする。【解決手段】選択されたメニュー項目が、記憶手段７０で記憶しているデータへのアクセスを要する処理についてのメニュー項目か否かを判定し、アクセスを要する処理についてのメニュー項目でないと判定した場合、前記選択されたメニュー項目の下位に位置するメニュー項目の中からアクセスを要する処理についてのメニュー項目を検索する項目検索手段１２と、前記項目検索手段１２による検索結果に基づいて、前記記憶装置７０に第２の状態から第１の状態への移行を開始させる記憶装置制御手段１３とを備えた画像形成装置１とする。【選択図】図１
2008016975.tif 000002
【特許請求の範囲】
【請求項１】
記憶しているデータにすぐにアクセス可能な第１の状態と、所定時間たってからアクセスする第２の状態とに切り替えて動作可能な記憶装置と、
階層的な関係をもった画像形成に関するメニュー項目が、上位の階層から下位の階層へと順次選択可能にメニュー表示される表示手段と、
メニュー項目の指定を受け付ける受付手段と、
指定を受け付けたメニュー項目に相当する処理を実行する実行手段と、
前記選択されたメニュー項目が、前記記憶手段で記憶しているデータへのアクセスを要する処理についてのメニュー項目か否かを判定し、アクセスを要する処理についてのメニュー項目でないと判定した場合、前記選択されたメニュー項目の下位に位置するメニュー項目の中からアクセスを要する処理についてのメニュー項目を検索する項目検索手段と、
前記項目検索手段による検索結果に基づいて、前記記憶装置に前記第２の状態から前記第１の状態への移行を開始させる記憶装置制御手段と
を備えることを特徴とする画像形成装置。
【請求項２】
前記項目検索手段は、前記選択されたメニュー項目よりも所定階層下位に位置するメニュー項目の中からアクセスを要する処理についてのメニュー項目を検索し、
前記記憶装置制御手段は、アクセスを要する処理についてのメニュー項目が含まれていた場合、前記記憶装置に前記第２の状態から前記第１の状態への移行を開始させることを特徴とする請求項１記載の画像形成装置。
【請求項３】
前記項目検索手段は、アクセスを要する処理についてのメニュー項目が次回以降に選択される確率を算出し、
前記記憶装置制御手段は、前記確率が所定値以上の場合、前記記憶装置に前記第２の状態から前記第１の状態への移行を開始させることを特徴とする請求項１または２に記載の画像形成装置。
【請求項４】
前記表示手段は、前記記憶装置が前記第１の状態へ移行中に前記受付手段がアクセスを要する処理を受け付けると、所定のメッセージを表示することを特徴とする請求項１から３のいずれかに記載の画像形成装置。
【請求項５】
前記記憶装置を複数備え、
前記記憶装置制御手段は、前記受け付けた処理によってアクセスされるデータが記憶されている記憶装置に、前記第２の状態から前記第１の状態への移行を開始させることを特徴とする請求項１から４のいずれかに記載の画像形成装置。
【請求項６】
記憶しているデータにすぐにアクセス可能な第１の状態と、所定時間経ってからアクセスする第２の状態とに切り替えて動作可能な記憶装置と、
階層的な関係をもった画像形成に関するメニュー項目が、上位の階層から下位の階層へと順次選択可能にメニュー表示される表示手段と、
選択されたメニュー項目に相当する処理を受け付ける受付手段と、
前記受付手段が受け付けた処理を実行する実行手段とを備えた画像形成装置において、
前記選択されたメニュー項目が、前記記憶手段で記憶しているデータへのアクセスを要する処理についてのメニュー項目か否かを判定し、アクセスを要する処理についてのメニュー項目でないと判定した場合、前記選択されたメニュー項目の下位に位置するメニュー項目の中からアクセスを要する処理についてのメニュー項目を検索し、その検索結果に基づいて、前記記憶装置に前記第２の状態から前記第１の状態への移行を開始させることを特徴とする画像形成装置における記憶装置の制御方法。
【発明の詳細な説明】
【技術分野】
【０００１】
本発明は、記憶装置を備えた画像形成装置に関し、特には前記記憶装置を制御する技術に関する。
【背景技術】
【０００２】
従来から、画像データ等のデータを記憶させるための記憶装置を備えた画像形成装置がある。記憶装置としては、一般にＨＤＤ（Hard Disk Drive）が広く用いられている。
当該ＨＤＤは、省エネおよび長寿命化の観点から、ＨＤ（Hard Disk）を駆動させるためのスピンドルモータが回転している通常モードと、スピンドルモータが停止している省電力モードとに切り替えて制御される。モードの切り替えは、ＨＤに記憶させたデータへのアクセスを要するか否かにより判断される。
【０００３】
なお、通常モードとしては、データにアクセス可能なアクティブ状態や、すぐにアクティブ状態への移行が可能なアイドル状態があり、省電力モードとしては、スピンドルモータが停止しているためアイドル状態への移行に所定時間を要するスタンバイ状態や、スピンドルモータが停止しており更に電源供給も止まっているスリープ状態がある。
ところで、ＨＤＤが省電力モード中に、ＨＤに記憶させたデータへのアクセスを要する処理が開始されると、ＨＤＤが通常モードの場合と比較して、スピンドルモータを回転させるために要する時間の分だけ処理時間が長くなる。このような処理時間の増加はユーザにとって好ましいものではなく、場合によっては装置の故障だと誤解される虞もある。
【０００４】
そこで、特許文献１には、ＨＤＤが省電力モード中に装置に何らかのキー操作が加えられると、そのキー操作で実行される処理の内容に関係なく即座に省電力モードを解除し、データへのアクセスを要する処理に備えることによって、当該処理の時間短縮を図った画像形成装置が開示されている。
【特許文献１】特開平２０００−３１１４２３号公報
【発明の開示】
【発明が解決しようとする課題】
【０００５】
しかしながら、前記キー操作で実行される処理は必ずしもＨＤのデータへのアクセスを要する処理であるとは限らず、アクセスを要する処理が1度も実行されることなく一連のキー操作が終了する場合もある。そのような場合、省電力モードを解除してスピンドルモータを回転させたことが無駄になり、このような無駄の繰り返しはかえって電力を消費したりＨＤＤの寿命を縮めたりすることとなる。
【０００６】
本発明は、上記した課題に鑑み、省エネ化および記憶装置の長寿命化を実現しながら、データへのアクセスを要する処理の時間短縮が望める画像形成装置および当該画像形成装置における記憶装置の制御方法を提供することを目的とする。
【課題を解決するための手段】
【０００７】
上記目的を達成するため、本発明に係る画像形成装置は、記憶しているデータにすぐにアクセス可能な第１の状態と、所定時間たってからアクセスする第２の状態とに切り替えて動作可能な記憶装置と、階層的な関係をもった画像形成に関するメニュー項目が、上位の階層から下位の階層へと順次選択可能にメニュー表示される表示手段と、メニュー項目の指定を受け付ける受付手段と、指定を受け付けたメニュー項目に相当する処理を実行する実行手段と、前記選択されたメニュー項目が、前記記憶手段で記憶しているデータへのアクセスを要する処理についてのメニュー項目か否かを判定し、アクセスを要する処理についてのメニュー項目でないと判定した場合、前記選択されたメニュー項目の下位に位置するメニュー項目の中からアクセスを要する処理についてのメニュー項目を検索する項目検索手段と、前記項目検索手段による検索結果に基づいて、前記記憶装置に前記第２の状態から前記第１の状態への移行を開始させる記憶装置制御手段とを備えることを特徴とする。
【０００８】
また、本発明に係る画像形成装置における記憶装置の制御方法は、記憶しているデータにすぐにアクセス可能な第１の状態と、所定時間経ってからアクセスする第２の状態とに切り替えて動作可能な記憶装置と、階層的な関係をもった画像形成に関するメニュー項目が、上位の階層から下位の階層へと順次選択可能にメニュー表示される表示手段と、選択されたメニュー項目に相当する処理を受け付ける受付手段と、前記受付手段が受け付けた処理を実行する実行手段とを備えた画像形成装置において、前記選択されたメニュー項目が、前記記憶手段で記憶しているデータへのアクセスを要する処理についてのメニュー項目か否かを判定し、アクセスを要する処理についてのメニュー項目でないと判定した場合、前記選択されたメニュー項目の下位に位置するメニュー項目の中からアクセスを要する処理についてのメニュー項目を検索し、その検索結果に基づいて、前記記憶装置に前記第２の状態から前記第１の状態への移行を開始させることを特徴とする。
【発明の効果】
【０００９】
上記構成では、選択されたメニュー項目の下位に位置するメニュー項目の中にアクセスを要する処理についてのメニュー項目が含まれる場合にのみ記憶装置を第１の状態へ移行開始させることができるため、アクセスを要する処理が実行されないにも拘わらず前記記憶装置が前記第１の状態へ移行してしまう事態を減らすことができる。したがって、記憶装置の状態が無駄に切り替わる回数を減らすことができ、省エネ化および記憶装置の長寿命化を図ることができる。また、データへのアクセスを要する処理が選択される前に、第１の状態への移行を開始させることができるため、実際にアクセスを要する処理が実行された時には、記憶装置がアクセス可能な状態となっており、データへのアクセスを要する処理の時間短縮を図ることができる。
【００１０】
ここで、前記項目検索手段は、前記選択されたメニュー項目よりも所定階層下位に位置するメニュー項目の中からアクセスを要する処理についてのメニュー項目を検索し、前記記憶装置制御手段は、アクセスを要する処理についてのメニュー項目が含まれていた場合、前記記憶装置に前記第２の状態から前記第１の状態への移行を開始させる構成とすることができる。
【００１１】
この構成とすれば、データへのアクセスを要する処理が実行される可能性が高い場合にのみ、記憶装置に第２の状態から第１の状態への移行を開始させることができるため、記憶装置の状態が無駄に切り替わる回数がより減り、省エネ化および記憶装置の長寿命化がより期待できる。
また、前記項目検索手段は、アクセスを要する処理についてのメニュー項目が次回以降に選択される確率を算出し、前記記憶装置制御手段は、前記確率が所定値以上の場合、前記記憶装置に前記第２の状態から前記第１の状態への移行を開始させる構成とすることができる。
【００１２】
この構成とすれば、データへのアクセスを要する処理が実行される確率が高い場合にのみ、記憶装置に第２の状態から第１の状態への移行を開始させることができるため、記憶装置の状態が無駄に切り替わる回数がより減り、省エネ化および記憶装置の長寿命化がより期待できる。
また、前記表示手段は、前記記憶装置が前記第１の状態へ移行中に前記受付手段がアクセスを要する処理を受け付けると、所定のメッセージを表示する構成とすることができる。
【００１３】
この構成とすれば、記憶装置が未だ第１の状態へ移行中であるため処理が終了せずユーザを待たせることになっても、処理は正常に実行中であることをユーザに知らせることができる。したがって、処理を待つユーザが装置の故障だと誤解することがない。
また、前記記憶装置を複数備え、前記記憶装置制御手段は、前記受け付けた処理によってアクセスされるデータが記憶されている記憶装置に、前記第２の状態から前記第１の状態への移行を開始させる構成とすることができる。
【００１４】
この構成とすれば、複数の記憶装置のうち第１の状態に移行させる必要のある記憶装置だけを移行開始させることができ、省エネ化および記憶装置の長寿命化がより期待できる。
【発明を実施するための最良の形態】
【００１５】
以下、本発明に係る画像形成装置および当該画像形成装置における記憶装置の制御方法の一実施形態を図面を参照しながら説明する。
＜第１の実施形態＞
１．画像形成装置の全体構成
第１の実施形態に係る画像形成装置をＭＦＰ(Multi Function Peripheral)を例に挙げて説明する。
【００１６】
ＭＦＰは、プリンタ、スキャナ、ＦＡＸなどの機能を１台に集約したデジタル複合機であって、ＬＡＮ（Local Area Network）などのネットワークを介してＰＣ（Personal Computer）などの外部端末と相互に通信可能である。ＭＦＰには、記憶装置としてのＨＤＤ（Hard Disk Drive）が搭載されており、コピー、スキャン、プリント、ＦＡＸなどの画像データをＨＤ（Hard Disk）に保存し、文書管理して、有効的に活用することができる。
【００１７】
図１は、第１の実施形態に係る画像形成装置の概略構成を示すブロック図である。図１に示すように、ＭＦＰ１は、ＭＦＰコントローラ部１０、スキャナ部２０、ＦＡＸ部３０、画像処理部４０、プリンタ部５０、メモリ６０、記憶装置としての画像データ用ＨＤＤ７０、アプリケーション用ＨＤＤ８０、表示手段および受付手段としての操作部１００を備え、ＰＣ２と相互に通信可能である。
【００１８】
ＭＦＰコントローラ部１０は、ＭＦＰ１の各部２０，３０，４０，５０，６０，７０，８０，１００がＭＦＰ全体として円滑に動作するようにそれらを集中的に制御する。また、ＭＦＰコントローラ部１０は、画像形成に関する各種処理を実行するための実行手段１１、並びに、後述するアクセス要処理検索手段１２および記憶装置制御手段１３を有する。
【００１９】
スキャナ部２０は、原稿上の画像を露光走査し、原稿面からの反射光を画像信号に変換して、前記原稿から画像データを読み取る。
ＦＡＸ部３０は、公衆電話回線などを介して所望の相手先との間で画像データの送受信を行う。
スキャナ部２０で読み取られる画像データ、ＦＡＸ部３０で受信される画像データ、並びに、ＰＣ２から送信されてくる画像データは、ＭＦＰコントローラ部１０を介して一旦メモリ６０に保持された後、画像処理部４０により適切な画像処理が施され、プリンタ部５０で用紙などの媒体上に印刷される。なお、メモリ６０に保持できないようなサイズの大きい画像データは、前記メモリ６０に代えて、画像データ用ＨＤＤ７０に確保された仮想メモリに保持され、上記と同様の画像処理が施される。
【００２０】
画像データ用ＨＤＤ７０は、主として画像データを記憶させるためのＨＤＤであって、ＰＣ２から送信されてきた画像データ、スキャナ部２０で読み取られた画像データ、ＦＡＸ部３０で受信された画像データなどを記憶する。画像データ用ＨＤＤ７０のＨＤに記憶した画像データは、ＰＣ２からネットワークを介して印刷、編集、転送或いは管理等が可能であり、それら画像データへのアクセスはＭＦＰコントローラ部１０を介して行われる。
【００２１】
例えば、画像データを一旦保存しておき後日印刷する場合、当該画像データは画像データ用ＨＤＤ７０のＨＤに保存される。これにより、同じ画像を再度読み取り等することなく印刷することができる。
画像データ用ＨＤＤ７０は、画像データに直にアクセス可能な第１の状態としての通常モードと、所定時間たってアクセスする可能になる第２の状態としての省電力モードとに切り替えて動作可能である。モード切り替え動作は、項目検索手段１２および記憶装置制御手段１３によって制御される。制御の詳細については後述する。
【００２２】
通常モードは、ＨＤを駆動させるスピンドルモータが回転している状態であり、例えば、画像データにアクセス可能なアクティブ状態、即座にアクティブ状態への移行が可能なアイドル状態である。省電力モードは、スピンドルモータが停止している状態であり、例えば、スピンドルモータを回転させるために所定時間を要するスタンバイ状態、スピンドルモータが停止しているだけでなく電源供給も止まっているスリープ状態である。
【００２３】
アプリケーション専用ＨＤＤ８０は、ＭＦＰ１のＯＳ（Operating System）や、ネットワーク通信用プログラム、その他ＭＦＰ１の制御に必要なプログラムなどが書き込まれている。また、アプリケーション用ＨＤＤ８０には、後述するメニュー項目の階層構造を格納したデータテーブル等が書き込まれている。なお、アプリケーション用ＨＤＤ８０も、通常モードと省電力モードとに切り替えて動作可能である。
【００２４】
操作部１００は、ユーザからＭＦＰ１への各種操作命令を受付けたり、ユーザへの各種メッセージを表示したりする。ユーザは、操作部１００を介して、画像読み取り、印刷、ＦＡＸ送信、外部へのデータ転送、画像データの保存、画像データの編集、ジョブ情報や管理情報の確認、各種設定の変更などの操作を行うことができる。なお、同様の操作は、ＰＣ２からも可能である。
【００２５】
図２は、操作部を示す平面図である。図２に示すように、操作部１００は、「コピー」キー１０１、「スキャン」キー１０２、「ファックス」キー１０３、「ボックス」キー１０４、「スタート」キー１０５、「ストップ」キー１０６、「リセット」キー１０７などの複数のハードキーと、表示手段としての液晶パネル１１０とを備える。
液晶パネル１１０は、ユーザに対するメッセージを表示するためのメッセージ表示部１１１と、画像処理等に関するメニュー項目がメニュー表示されるメニュー表示部１１２とを備える。
【００２６】
メニュー表示部１１２には、階層的な関係をもった画像形成に関するメニュー項目が、上位の階層から下位の階層へと順次選択可能にメニュー表示される。メニュー項目としては、例えば図２に示すように、「ボックス保存」２１１、「集約／原稿」２１２等がある。
液晶パネル１１０の上面には、受付手段としてのタッチセンサー（不図示）が設けられており、メニュー項目が表示されている部分に触れることによって当該メニュー項目を選択すると（メニュー項目を押下すると）、選択されたメニュー項目に相当する処理が受け付けられる。
【００２７】
図３は、コピージョブのメニュー項目の階層構造を示す図である。
例えば、コピージョブの場合、図３に示すように、第1階層のメニュー項目である「コピー」の下位には、「ボックス保存」、「集約／原稿」等の第２階層のメニュー項目が位置しており、例えば「ボックス保存」の下位には、「ｂｏｘ０１」、「ｂｏｘ０２」等の第３階層のメニュー項目が位置している。なお、「コピー」の下位には、「ボックス保存」、「集約／原稿」以外にも他の第２階層のメニュー項目が位置しているが、図３ではそれらメニュー項目は省略されている。また、「ボックス保存」の下位にも、「ｂｏｘ０１」、「ｂｏｘ０２」以外の第３階層のメニュー項目が位置しているが、これらも省略されている。さらに、「集約／原稿」の下位にも第３階層のメニュー項目が位置しているがこれらも省略されている。
【００２８】
操作部１００で「コピー」が選択されると、メニュー表示部分１１２に、「コピー」の下位に位置する「ボックス保存」、「集約／原稿」等のメニュー項目が表示され、選択可能になる。さらに、「ボックス保存」が選択されると、メニュー表示部分１１２に、「ボックス保存」の下位に位置する「ｂｏｘ０１」、「ｂｏｘ０２」等のメニュー項目が表示され、選択可能になる。
【００２９】
図３では、画像データ用ＨＤＤ７０に記憶されている画像データへのアクセスを要する処理についてのメニュー項目（以下、「アクセス要項目」）を太線で囲み、前記画像データへのアクセスを要しない処理についてのメニュー項目を細線で囲み（「ボックス保存」および「集約／原稿」）、選択されると画像データ用ＨＤＤ７０の省電力モードが解除される処理についてのメニュー項目を二重線で囲んで表している（「ボックス保存」）。
【００３０】
２．画像データ用ＨＤＤの制御
ＭＦＰコントローラ部１０は、次回以降に実行される処理を予測し、その予測結果に基づいて画像データ用ＨＤＤ７０を制御する。画像データ用ＨＤＤ７０のＨＤへのアクセスを要する処理を次回以降に受け付ける可能性があれば、画像データ用ＨＤＤ７０の省電力モードを前もって解除し、実際にアクセスを要する処理を受け付けた時には省電力モードが既に解除されている状態にする。
【００３１】
具体的には、操作部１００で受け付けた処理が画像データ用ＨＤＤ７０のＨＤに記憶されている画像データへのアクセスを要しない処理である場合、項目検索手段１２が、受け付けた処理についてのメニュー項目の下位に位置するメニュー項目の中からアクセス要項目を検索する。さらに、記憶装置制御手段１３が、項目検索手段１２による検索結果に基づいて、画像データ用ＨＤＤ７０の省電力モードから通常モードへの移行を開始させる。
【００３２】
以下に、画像データ用ＨＤＤ７０の具体的な制御の内容の詳細を、コピージョブおよびボックスジョブを実行する場合を例に挙げて説明する。
２−１．コピージョブ
図４は、省電力モード解除処理の内容を説明するフローチャートである。図５は、コピージョブにおけるメニュー表示部分の表示内容の遷移を説明する図である。
【００３３】
図４に示すフローチャートにおいて、「コピー」キー１０１が押下されると（ステップＳ１１）、図５（ａ）に示すようにメニュー表示部分１１２には、「コピー」の１階層下のメニュー項目である「ボックス保存」２１１、「集約／原稿」２１２等が表示される（ステップＳ１２）。また、ＭＦＰコントローラ部１０の項目検索手段１２によって、画像データへのアクセスの可能性が判断される（ステップＳ１３）。
【００３４】
図６は、アクセスの可能性を判断する処理の内容を説明するフローチャートである。
図６に示すように、画像データへのアクセスの可能性の判断では、まず、「コピー」の１階層下のメニュー項目が抽出される（ステップＳ３１）。具体的には、項目検索手段１２が、図３のようなメニュー項目の階層構造を格納したデータテーブルをアプリケーション用ＨＤＤ８０から読み出し、当該データテーブルを参照しながら「コピー」の１階層下の「ボックス保存」、「集約／原稿」等のメニュー項目を抽出する。
【００３５】
次に、抽出されたメニュー項目の中にアクセス要項目が含まれるか否かが判断される（ステップＳ３２）。「ボックス保存」、「集約／原稿」等のメニュー項目は、いずれもアクセス要項目ではないため（図３に示すように、「ボックス保存」および「集約／原稿」はいずれも太線で囲まれていない）（ステップＳ３２で「ＮＯ」）、画像データへのアクセスの可能性はないと判断される（ステップＳ３３）。
【００３６】
図４のステップＳ１３に戻って、画像データへのアクセスの可能性がないと判断されると（ステップＳ１３で「ＮＯ」）、ステップＳ１１に戻る。
次に、図５（ａ）のような状態で、メニュー表示部分１１２の「ボックス保存」２１１が押下されると（ステップＳ１１）、メニュー表示部分１１２は「ボックス保存」２１１の１階層下の「ｂｏｘ０１」２２１、「ｂｏｘ０２」２２２等のメニュー項目が表示された図５（ｂ）に示すような状態に遷移する（ステップＳ１２）。また、画像データへのアクセスの可能性が判断される（ステップＳ１３）。
【００３７】
図６に示すように、画像データへのアクセスの可能性の判断では、まず、「ボックス保存」の１階層下の「ｂｏｘ０１」、「ｂｏｘ０２」等のメニュー項目が抽出される（ステップＳ３１）。そして、抽出されたメニュー項目の中にアクセス要項目が含まれるか否かが判断される（ステップＳ３２）。ここで、「ｂｏｘ０１」および「ｂｏｘ０２」は、アクセス要項目であるため（図３に示すように、「ｂｏｘ０１」および「ｂｏｘ０２」は太線で囲まれている）、画像データへのアクセスの可能性があると判断される（ステップＳ３４）。
【００３８】
図４のステップＳ１３に戻って、画像データへのアクセスの可能性があると判断されると（ステップＳ１３で「ＹＥＳ」）、画像データ用ＨＤＤ７０が省電力モードであるか否かが判断される（ステップＳ１４）。省電力モードであるか否かの判断は、例えば、画像データ用ＨＤＤ７０のスピンドルモータ（不図示）が回転しているか否かをセンサ（不図示）で検知して判断する。
【００３９】
省電力モードであると判断された場合（ステップＳ１４で「ＹＥＳ」）、省電力モードが解除される（ステップＳ１５）。すなわち、画像データ用ＨＤＤ７０の省電力モードから通常モードへの移行が開始する。
一方、省電力モードでないと判断された場合（ステップＳ１４で「ＮＯ」）、省電力モードは既に解除済みであるため、解除は行われない。
【００４０】
さらにメニュー項目が押下されると（ステップＳ１６）、メニュー表示部分１１２の表示内容が遷移し（ステップＳ１７）、押下されたメニュー項目がアクセス要項目であるか否かが判断される（ステップＳ１８）。
アクセス要項目であると判断された場合（ステップＳ１８で「ＹＥＳ」）、省電力モードの解除が完了しているか否か、すなわち、省電力モードから通常モードへの移行が完了しているか否かが判断される（ステップＳ１９）。一方、アクセス要項目でない場合(ステップＳ１８で「ＮＯ」)、ステップＳ１６に戻る。
【００４１】
省電力モードの解除が完了しているか否かの判断において（ステップＳ１９）、完了していないと判断された場合（ステップＳ１９で「ＮＯ」）、図５（ｃ）に示すように、メッセージ表示部１１１に「ＨＤＤ省電力モード解除中のため、お待ち下さい」とのメッセージが表示され（ステップＳ２０）、省電力モード解除処理が終了する。一方、完了していると判断された場合（ステップＳ１９で「ＹＥＳ」）、メッセージは表示されずに省電力モード解除処理が終了する。
【００４２】
２−２．ボックスジョブ
図７は、ボックスジョブのメニュー項目の階層構造を示す図である。図７において、各メニュー項目を囲む細線、二重線および太線の意味は、図３の場合と同様である。また、図７では、図３と同様に、説明で登場するメニュー項目のみを表示しそれ以外のメニュー項目は省略している。
【００４３】
図８は、ボックスジョブにおけるメニュー表示部分の表示内容の遷移を説明する図である。
図４に示すフローチャートにおいて、「ボックス」キー１０４が押下されると（ステップＳ１１）、図８（ａ）に示すように、メニュー表示部分１１２には「ボックス」の１階層下の「ｂｏｘ０１」２３１、「ｂｏｘ０２」２３２等が表示される（ステップＳ１２）。また、画像データへのアクセスの可能性があるか否かが判断される（ステップＳ１３）。
【００４４】
図６に示すように、画像データへのアクセスの可能性の判断では、まず、「ボックス」の１階層下の「ｂｏｘ０１」、「ｂｏｘ０２」等のメニュー項目が抽出される（ステップＳ３１）。具体的には、項目検索手段１２が、図７のようなメニュー項目の階層構造を格納したデータテーブルをアプリケーション用ＨＤＤ８０から読み出し、当該データテーブルを参照しながら「ボックス」の１階層下のメニュー項目を抽出する。
【００４５】
次に、抽出されたメニュー項目の中にアクセス要項目が含まれるか否かが判断される（ステップＳ３２）。「ｂｏｘ０１」２２１、「ｂｏｘ０２」等のメニュー項目の中には、アクセス要項目は含まれていないため、画像データへのアクセスの可能性がないと判断される（ステップＳ３３）。
図４のステップＳ１３に戻って、画像データへのアクセスの可能性がないと判断されると（ステップＳ１３で「ＮＯ」）、ステップＳ１１に戻る。
【００４６】
次に、図８（ａ）のような状態で、メニュー表示部分１１２の「ｂｏｘ０１」２３１が押下されると（ステップＳ１１）、メニュー表示部分１１２は「ｂｏｘ０１」２３１の１階層下の「ＯＫ」２４１、「キャンセル」２４２等のメニュー項目、および、パスワード入力欄２４３が表示された図８（ｂ）に示すような状態に遷移する（ステップＳ１２）。また、画像データへのアクセスの可能性が判断される（ステップＳ１３）。
【００４７】
図６に示すように、画像データへのアクセスの可能性の判断では、まず、「ｂｏｘ０１」の１階層下の「ＯＫ」、「キャンセル」等のメニュー項目が抽出される（ステップＳ３１）。そして、抽出されたメニュー項目の中にアクセス要項目が含まれるか否かが判断される（ステップＳ３２）。ここで、「ＯＫ」および「キャンセル」は、アクセス要項目でないため、画像データへのアクセスの可能性はないと判断される（ステップＳ３３）。
【００４８】
図４のステップＳ１３に戻って、画像データへのアクセスの可能性がないと判断されると（ステップＳ１３で「ＮＯ」）、ステップＳ１１に戻る。
次に、図８（ｂ）のような状態で、メニュー表示部分１１２のパスワード入力欄２４３にパスワードが入力され、「ＯＫ」２４１が押下されると（ステップＳ１１）、画像データへのアクセスの可能性が判断される（ステップＳ１３）。
【００４９】
図６に示すように、画像データへのアクセスの可能性の判断では、まず、「ＯＫ」の１階層下の「ｆｉｌｅ１」、「ｆｉｌｅ２」等のメニュー項目が抽出される（ステップＳ３１）。そして、抽出されたメニュー項目の中にアクセス要項目が含まれるか否かが判断される（ステップＳ３２）。ここで、「ｆｉｌｅ１」および「ｆｉｌｅ２」は、アクセス要項目であるため、画像データへのアクセスの可能性があると判断される（ステップＳ３３）。
【００５０】
図４のステップＳ１３に戻って、画像データへのアクセスの可能性があると判断されると（ステップＳ１３で「ＹＥＳ」）、コピージョブの場合と同様に、ステップＳ１４からステップＳ１９までの処理が実行される。
省電力モードの解除が完了しているか否かの判断において（ステップＳ１９）、完了していないと判断された場合（ステップＳ１９で「ＮＯ」）、図８（ｃ）に示すように、メッセージ表示部１１１に「ＨＤＤ省電力モード解除中のため、お待ち下さい」とのメッセージが表示され（ステップＳ２０）、省電力モード解除処理が終了する。
【００５１】
３．画像データへのアクセスの可能性の判断の変形例
上記説明では、１階層下のメニュー項目の中にアクセス要項目が含まれる場合に、画像データへのアクセスの可能性があると判断したが、１階層下に限らず、アクセス要項目が、１階層下からｎ階層下（ｎは２以上の所定数）までのメニュー項目の中に含まれている場合に、画像データへのアクセスの可能性の判断があると判断しても良い。その一例として、１階層下から２階層下までのメニュー項目の中にアクセス要項目が含まれていた場合に、画像データへのアクセスの可能性があると判断する場合について、画像データ用ＨＤＤ７０の具体的な制御の内容を、スキャンジョブおよびファックスジョブを実行する場合を例に挙げて説明する。
【００５２】
３−１．スキャンジョブ
図９は、第１の実施形態の変形例に係るスキャンジョブのメニュー項目の階層構造を示す図である。図９において、各メニュー項目を囲む細線、二重線および太線の意味は、図３の場合と同様である。また、図９では、図３と同様に、説明で登場するメニュー項目のみを表示しそれ以外のメニュー項目は省略している。
【００５３】
図１０は、第１の実施形態の変形例に係るスキャンジョブにおけるメニュー表示部分の表示内容の遷移を説明する図である。
図４に示すフローチャートにおいて、「スキャン」キー１０２が押下されると（ステップＳ１１）、図１０（ａ）に示すようにメニュー表示部分１１２には、「スキャン」の１階層下の「アドレス帳」２５１、「グループ」２５２等が表示される（ステップＳ１２）。また、ＭＦＰコントローラ部１０の項目検索手段１２によって、画像データへのアクセスの可能性が判断される（ステップＳ１３）。
【００５４】
図１１は、第１の実施形態の変形例に係るアクセスの可能性を判断する処理の内容を説明するフローチャートである。
図１１に示すように、画像データへのアクセスの可能性の判断では、まず、「スキャン」の１階層下のメニュー項目が抽出される（ステップＳ４１）。具体的には、項目検索手段１２が、図９のようなメニュー項目の階層構造を格納したデータテーブルをアプリケーション用ＨＤＤ８０から読み出し、当該データテーブルを参照しながら「スキャン」の１階層下の「アドレス帳」、「グループ」等のメニュー項目を抽出する。
【００５５】
次に、抽出されたメニュー項目の中にアクセス要項目が含まれるか否かが判断される（ステップＳ３２）。「アドレス帳」、「グループ」等のメニュー項目は、いずれもアクセス要項目ではない（ステップＳ４２で「ＮＯ」）。
次に、「スキャン」の２階層下のメニュー項目が抽出される（ステップＳ４３）。具体的には、「アドレス帳」の１階層下の「ｂｏｘ」、「Ｔｏｋｙｏ東京」等のメニュー項目、「グループ」の１階層下のメニュー項目、さらには「アドレス帳」や「グループ」と同じ階層の他のメニュー項目の更に１階層下のメニュー項目が抽出される。なお、図９では、「グループ」の１階層下のメニュー項目や、「アドレス帳」や「グループ」と同じ階層の他のメニュー項目が省略されている。
【００５６】
次に、抽出されたメニュー項目の中にアクセス要項目が含まれるか否かが判断される（ステップＳ４４）。「ｂｏｘ」、「Ｔｏｋｙｏ東京」等のメニュー項目は、いずれもアクセス要項目ではないため（ステップＳ４４で「ＮＯ」）、画像データへのアクセスの可能性はないと判断される（ステップＳ４５）。
なお、抽出されたメニュー項目の中にアクセス要項目が含まれていれば（ステップＳ４２で「ＹＥＳ」）、画像データへのアクセスの可能性があると判断される（ステップＳ４６）。
【００５７】
図４のステップＳ１３に戻って、画像データへのアクセスの可能性がないと判断されると（ステップＳ１３で「ＮＯ」）、ステップＳ１１に戻る。
次に、図１０（ａ）のような状態で、メニュー表示部分１１２の「アドレス帳」２５１が押下されると（ステップＳ１１）、メニュー表示部分１１２は「アドレス帳」２５１の１階層下の「ｂｏｘ」２６１、「Ｔｏｋｙｏ東京」２６２等のメニュー項目が表示された図１０（ｂ）に示すような状態に遷移する（ステップＳ１２）。また、画像データへのアクセスの可能性が判断される（ステップＳ１３）。
【００５８】
図１１に示すように、画像データへのアクセスの可能性の判断では、まず、「アドレス帳」の１階層下の「ｂｏｘ」、「Ｔｏｋｙｏ」等のメニュー項目が抽出される（ステップＳ４１）。そして、抽出されたメニュー項目の中にアクセス要項目が含まれるか否かが判断される（ステップＳ４２）。ここで、「ｂｏｘ」、「Ｔｏｋｙｏ東京」は、アクセス要項目でないため（ステップＳ４２で「ＮＯ」）、次に、「スキャン」の２階層下のメニュー項目、すなわち「ｂｏｘ」、「Ｔｏｋｙｏ東京」等のメニュー項目の１階層下の「ｆｉｌｅ１」、「ｆｉｌｅ２」等のメニュー項目が抽出される（ステップＳ４３）。なお、図９で省略されているメニュー項目も抽出されるのは、上記と同様である。
【００５９】
次に、抽出されたメニュー項目の中にアクセス要項目が含まれるか否かが判断される（ステップＳ４４）。「ｆｉｌｅ１」および「ｆｉｌｅ２」がアクセス要項目であるため（ステップＳ４４で「ＹＥＳ」）、画像データへのアクセスの可能性があると判断される（ステップＳ４６）。
図４のステップＳ１３に戻って、画像データへのアクセスの可能性があると判断されると（ステップＳ１３で「ＹＥＳ」）、コピージョブの場合と同様に、ステップＳ１４からステップＳ１９までの処理が実行される。
【００６０】
省電力モードの解除が完了しているか否かの判断において（ステップＳ１９）、完了していないと判断された場合（ステップＳ１９で「ＮＯ」）、図１０（ｃ）に示すように、メッセージ表示部１１１に「ＨＤＤ省電力モード解除中のため、お待ち下さい」とのメッセージが表示され（ステップＳ２０）、省電力モード解除処理が終了する。
３−２．ファックスジョブ
図１２は、第１の実施形態の変形例に係るファックスジョブのメニュー項目の階層構造を示す図である。図１２において、各メニュー項目を囲む細線、二重線および太線の意味は、図３の場合と同様である。また、図１２では、図３と同様に、説明で登場するメニュー項目のみを表示しそれ以外のメニュー項目は省略している。
【００６１】
図１３は、第１の実施形態の変形例に係るファックスジョブにおけるメニュー表示部分の表示内容の遷移を説明する図である。
図４に示すフローチャートにおいて、「ファックス」キー１０３が押下されると（ステップＳ１１）、図１３（ａ）に示すようにメニュー表示部分１１２には、「ファックス」の１階層下の「短縮／アドレス」２７１、「グループ」２７２等が表示される（ステップＳ１２）。また、ＭＦＰコントローラ部１０の項目検索手段１２によって、画像データへのアクセスの可能性が判断される（ステップＳ１３）。
【００６２】
図１１に示すように、画像データへのアクセスの可能性の判断では、まず、「ファックス」の１階層下の「短縮／アドレス」、「グループ」等のメニュー項目が抽出される（ステップＳ４１）。抽出されたメニュー項目はいずれもアクセス要項目ではないため（ステップＳ４２で「ＮＯ」）、次に、「ファックス」の２階層下のメニュー項目、すなわち「短縮／アドレス」、「グループ」等のメニュー項目の１階層下の「ｂｏｘ」、「Ｔｏｋｙｏ東京」等のメニュー項目が抽出される（ステップＳ４３）。抽出されたメニュー項目は、いずれもアクセス要項目ではないため（ステップＳ４４で「ＮＯ」）、画像データへのアクセスの可能性はないと判断される（ステップＳ４５）。
【００６３】
図４のステップＳ１３に戻って、画像データへのアクセスの可能性がないと判断されると（ステップＳ１３で「ＮＯ」）、ステップＳ１１に戻り、図１３（ａ）のような状態で、メニュー表示部分１１２の「短縮／アドレス」２７１が押下されると（ステップＳ１１）、メニュー表示部分１１２は「短縮／アドレス」２７１の１階層下の「ｂｏｘ」２８１、「Ｔｏｋｙｏ東京」２８２等のメニュー項目が表示された図１３（ｂ）に示すような状態に遷移する（ステップＳ１２）。また、画像データへのアクセスの可能性が判断される（ステップＳ１３）。
【００６４】
図１１に示すように、画像データへのアクセスの可能性の判断では、まず、「短縮／アドレス」の１階層下の「ｂｏｘ」、「Ｔｏｋｙｏ」等のメニュー項目が抽出され（ステップＳ４１）、抽出されたメニュー項目はアクセス要項目でないため（ステップＳ４２で「ＮＯ」）、次に、「短縮／アドレス」の２階層下のメニュー項目、すなわち「ｂｏｘ」、「Ｔｏｋｙｏ東京」等のメニュー項目の１階層下の「ｆｉｌｅ１」、「ｆｉｌｅ２」等のメニュー項目が抽出される（ステップＳ４３）。抽出されたメニュー項目は、「ｆｉｌｅ１」および「ｆｉｌｅ２」はアクセス要項目であるため（ステップＳ４４で「ＹＥＳ」）、画像データへのアクセスの可能性があると判断される（ステップＳ４６）。
【００６５】
図４のステップＳ１３に戻って、画像データへのアクセスの可能性があると判断されると（ステップＳ１３で「ＹＥＳ」）、コピージョブの場合と同様に、ステップＳ１４からステップＳ１９までの処理が実行される。
省電力モードの解除が完了しているか否かの判断において（ステップＳ１９）、完了していないと判断された場合（ステップＳ１９で「ＮＯ」）、図１０（ｃ）に示すように、メッセージ表示部１１１に「ＨＤＤ省電力モード解除中のため、お待ち下さい」とのメッセージが表示され（ステップＳ２０）、省電力モード解除処理が終了する。
【００６６】
＜第２の実施形態＞
第１の実施形態に係る画像形成装置では、下位の階層のメニュー項目の中にアクセス要項目が含まれていれば画像データへのアクセスの可能性があると判断したが、第２の実施形態に係る画像形成装置では、単にアクセス要項目の有無だけでアクセスの可能性を判断するのではなく、アクセス要項目が選択される確率を算出し、その確率が閾値以上の場合にアクセスの可能性があると判断する。
【００６７】
具体的には、アクセス要項目が含まれる場合、当該メニュー項目が次回以降に選択される確率を算出し、前記確率が所定値以上の場合、記憶装置に省電力モードから通常モードへの移行を開始させる。
なお、第２の実施形態に係る画像形成装置は、アクセスの可能性を判断する処理の内容が異なる他は、基本的に第１の実施形態に係る画像形成装置と同様の構成をしている。したがって、アクセスの可能性を判断する処理の内容についてのみ詳細に説明する。なお、画像形成装置の構成は第１の実施形態に係る画像形成装置と同じであるため、その説明は省略し、同じ符号を用いて説明する。
【００６８】
図１４は、第２の実施形態に係るコピージョブのメニュー項目の階層構造を示す図である。なお、細線、太線および二重線の意味内容は図３と同様である。
第２の実施形態に係る画像形成装置としてのＭＦＰ３００では、メニュー項目の階層構造を格納したデータテーブルに、メニュー項目の階層構造に加えて、メニュー項目毎に選択確率が格納されている。
【００６９】
図１４に示す例では、「コピー」が選択された場合に、次回に「ボックス保存」が選択される確率は５％、「集約／原稿」が選択される確率は１％である。また、「ボックス保存」が選択された場合に、次回に「ｂｏｘ０１」が選択される可能性は１０％、「ｂｏｘ０２」が選択される可能性は５％、「個人ボックス」が選択される可能性は７０％である。
【００７０】
選択確率は、初期値として、「ボックス保存」や「集約／原稿」など予め用意されている装置固有のメニュー項目については、使用頻度を考慮した値が設定されており、「ｂｏｘ０１」、「ｂｏｘ０２」等ユーザが作成するメニュー項目については０％と設定されている。そして、選択確率は、メニュー項目が選択される度にＭＦＰコントローラ部１０によって更新される。
【００７１】
図１５は、第２の実施形態に係るアクセスの可能性を判断する処理の内容を説明するフローチャートである。
「コピー」キー１０１が押下されると、画像データへのアクセスの可能性があるか否かが判断される。
図１５に示すように、当該判断では、まず、「コピー」の１階層下の「ボックス保存」、「集約／原稿」等のメニュー項目が抽出される（ステップＳ５１）。次に、抽出されたメニュー項目の中にアクセス要項目が含まれるか否かが判断される（ステップＳ５２）。「ボックス保存」、「集約／原稿」等のメニュー項目は、いずれもアクセス要項目ではないため（図１４に示すように、「ボックス保存」および「集約／原稿」はいずれも太線で囲まれていない）（ステップＳ５２で「ＮＯ」）、画像データへのアクセスの可能性はないと判断される（ステップＳ５７）。
【００７２】
次に、「ボックス保存」が押下されると、再度、画像データへのアクセスの可能性が判断される。当該判断では、まず、「ボックス保存」の１階層下の「ｂｏｘ０１」、「ｂｏｘ０２」、「個人ボックス」等のメニュー項目が抽出される（ステップＳ５１）。そして、抽出されたメニュー項目の中にアクセス要項目が含まれるか否かが判断される（ステップＳ５２）。ここで、「ｂｏｘ０１」および「ｂｏｘ０２」は、アクセス要項目であるため（図１４に示すように、「ｂｏｘ０１」および「ｂｏｘ０２」は太線で囲まれている）、アクセス要項目があると判断される（ステップＳ５２で「ＹＥＳ」）。
【００７３】
次に、アクセス要項目が抽出され（ステップＳ５３）、それらメニュー項目の選択確率の合計値が算出される。この例では、抽出されるアクセス要項目は「ｂｏｘ０１」および「ｂｏｘ０２」であり、図１４に示すように、「ｂｏｘ０１」の選択確率は１０％、「ｂｏｘ０２」の選択確率は５％であるため、合計値は１５％である。
次に、算出した合計値が閾値以上であるか否かが判断される（ステップＳ５５）。例えば、閾値が５０％と設定されている場合、すなわち次回のメニュー項目がアクセス要項目である確率が５０％以上の場合に省電力モードを解除すると設定されている場合、前記合計値１５％は閾値５０％以上ではないため（ステップＳ５５で「ＮＯ」）、アクセスの可能性がないと判断される（ステップＳ５７）。
【００７４】
次に、「個人ボックス」が押下されると、再度、画像データへのアクセスの可能性が判断される。当該判断では、まず、「個人ボックス」の１階層下の「ｂｏｘＡ」、「ｂｏｘＢ」、「ｂｏｘＣ」、「ｂｏｘＤ」、「共有ボックス」等のメニュー項目が抽出される（ステップＳ５１）。そして、抽出されたメニュー項目の中にアクセス要項目が含まれるか否かが判断される（ステップＳ５２）。ここで、「ｂｏｘＡ」、「ｂｏｘＢ」、「ｂｏｘＣ」、「ｂｏｘＤ」がアクセス要項目であるため（図１４に示すように、「ｂｏｘＡ」、「ｂｏｘＢ」、「ｂｏｘＣ」、「ｂｏｘＤ」は太線で囲まれている）、アクセス要項目があると判断される（ステップＳ５２「ＹＥＳ」）。
【００７５】
次に、アクセス要項目が抽出され（ステップＳ５３）、それら抽出されたメニュー項目の選択確率の合計値が算出される。図１４に示すように、「ｂｏｘＡ」の選択確率は１５％、「ｂｏｘＢ」の選択確率は２０％、「ｂｏｘＣ」の選択確率は３０％、「ｂｏｘＤ」の選択確率は５％であるため、合計値は７０％である。
次に、算出した合計値が閾値以上であるか否かが判断される（ステップＳ５５）。前記合計値７０％は閾値５０％よりも大きいため、閾値以上と判断され（ステップＳ５５で「ＹＥＳ」）、アクセスの可能性があると判断される（ステップＳ５６）。
【００７６】
以上のように、第２の実施形態では、１階層下のメニュー項目の中にアクセス要項目が含まれていても、そのアクセス要項目の選択の可能性が低ければアクセスの可能性がないと判断する点において、第１の実施形態と異なっている。
なお、上記の実施の形態では、１階層下のアクセス要項目のみを対象として選択確率の合計値を算出したが、さらに下位の階層のアクセス要項目を対象に加えても良い。例えば、２階層下のメニュー項目の中からアクセス要項目を抽出し、それらメニュー項目の選択確率の合計値が閾値以上の場合に、アクセスの可能性があると判断しても良い。
【００７７】
具体的に説明すると、図１４に示す例の場合、「ボックス保存」が選択された後に、「個人ボックス」（選択確率７０％）が選択され、さらに「ｂｏｘＡ」、「ｂｏｘＢ」、「ｂｏｘＣ」および「ｂｏｘＤ」のいずれか（選択確率の合計値は１５％＋２０％＋３０％＋５％＝７０％）が選択される確率は４９％である。また、「ｂｏｘ０１」の選択確率は１０％、「ｂｏｘ０２」の選択確率は５％である。そして、これらの合計値は６４％（４９％＋１０％＋５％）である。当該合計値が閾値以上の場合、アクセスの可能性があると判断しても良い。
【００７８】
＜第３の実施形態＞
第３の実施形態に係る画像形成装置は、記憶装置を２つ備えている点において第１の実施形態に係る画像形成装置と異なる。なお、第３の実施形態に係る画像形成装置は、記憶装置の数が異なる他は、基本的に第１の実施形態に係る画像形成装置と同様の構成をしているため、２つめの記憶装置以外の構成要素については、第１の実施形態と同じ符号を用いて説明する。
【００７９】
図１６は、第３の実施形態に係る画像形成装置の概略構成を示すブロック図である。図１６に示すように、ＭＦＰ３００は、ＭＦＰコントローラ部１０、スキャナ部２０、ＦＡＸ部３０、画像処理部４０、プリンタ部５０、メモリ６０、記憶装置としての第１の画像データ用ＨＤＤ７０がおよび第２の画像データ用ＨＤＤ９０、アプリケーション用ＨＤＤ８０、受付手段および表示手段としての操作部１００を備え、ＰＣ２と相互に通信可能である。ＭＦＰコントローラ部は、項目検索手段１２および記憶装置制御手段１３としての機能を有する。
【００８０】
図２に示すように、操作部１００は、コピーキー１０１、スキャンキー１０２、ファックスキー１０３、ボックスキー１０４、スタートキー１０５、ストップキー１０６、リセットキー１０７などの複数のハードキーと、表示手段としての液晶パネル１１０と、当該液晶パネル１１０の上面に配置された受付手段としてのタッチセンサー（不図示）とを備える。
【００８１】
ＭＦＰ３００では、項目検索手段１２が、次回以降の処理にアクセス要項目が含まれるか否かを画像データ用ＨＤＤ７０，９０毎に判断し、記憶装置制御手段１３が、当該アクセス要項目によりアクセスされる画像データを記憶した画像データ用ＨＤＤに省電力モードの解除を開始させる。
以下に、画像データ用ＨＤＤ７０，９０の具体的な制御の内容を、コピージョブおよびボックスジョブの場合を例に挙げて説明する。
【００８２】
図１７は、省電力モード解除処理の内容を説明するフローチャートである。図１７に示すように、「コピー」１０１キーが押下されると（ステップＳ６１）、液晶パネル１１０のメニュー画面１１１には、「コピー」の１階層下の「ボックス保存」２１１、「集約／原稿」２１２等のメニュー項目が表示される（ステップＳ６２）。また、ＭＦＰコントローラ部１０の項目検索手段１２によって、画像データへのアクセスの可能性が判断される（ステップＳ６３）。
【００８３】
画像データへのアクセスの可能性がないと判断されると（ステップＳ６３で「ＮＯ」）、ステップＳ６１に戻る。一方、画像データへのアクセスの可能性があると判断されると（ステップＳ６３で「ＹＥＳ」）、アクセスを要する画像データが第１の画像データ用ＨＤＤ７０のＨＤに記憶されているか否かが判断される（ステップＳ６４）。アクセスを要する画像データが第１の画像データ用ＨＤＤ７０のＨＤに記憶されている場合（ステップＳ６４で「ＹＥＳ」）、第１の画像データ用ＨＤＤ７０が省電力モードであるか否かが判断される（ステップＳ６５）。
【００８４】
省電力モードでないと判断された場合は（ステップＳ６５で「ＮＯ」）、省電力モードは既に解除済みであるため解除する必要はなく、処理を終了する。一方、省電力モードであると判断された場合（ステップＳ６５で「ＹＥＳ」）、省電力モードが解除される（ステップＳ６６）。すなわち、第１の画像データ用ＨＤＤ７０は、省電力モードから通常モードへの移行を開始する。
【００８５】
次に、さらにメニュー項目が押下されると（ステップＳ６７）、メニュー表示部分の表示内容が遷移する（ステップＳ６８）。また、押下されたメニュー項目に相当する処理が、第１の画像データ用ＨＤＤ７０のＨＤに記憶させている画像データへのアクセスを要する処理についてのアクセス要項目であるか否かが判断される（ステップＳ６９）。
第１の画像データ用ＨＤＤ７０のＨＤに記憶させている画像データへのアクセスを要する処理についてのアクセス要項目であると判断された場合（ステップＳ６９で「ＹＥＳ」）、通常モードへの移行が完了しているか否かが判断される（ステップＳ７０）。一方、第１の画像データ用ＨＤＤ７０のＨＤに記憶させている画像データへのアクセスを要する処理についてのメニュー項目でない場合(ステップＳ６９で「ＮＯ」)、ステップＳ６７に戻る。
【００８６】
通常モードへの移行が完了しているか否かの判断において（ステップＳ７０）、通常モードへの移行が完了していると判断された場合（ステップＳ７０で「ＹＥＳ」）、処理を終了する。一方、移行が完了していないと判断された場合（ステップＳ７０で「ＮＯ」）、メッセージ表示部１１１に「ＨＤＤ省電力モード解除中のため、お待ち下さい」とのメッセージが表示される（ステップＳ７１）。
【００８７】
ステップＳ６４に戻って、アクセスを要する画像データが第１の画像データ用ＨＤＤ７０のＨＤに記憶されていない場合（ステップＳ６４で「ＮＯ」）、アクセスを要する画像データが第２の画像データ用ＨＤＤ９０のＨＤに記憶されているか否かが判断される（ステップＳ７２）。アクセスを要する画像データが第２の画像データ用ＨＤＤ９０のＨＤに記憶されている場合（ステップＳ７２で「ＹＥＳ」）、第２の画像データ用ＨＤＤ９０が省電力モードであるか否かが判断される（ステップＳ７３）。一方、アクセスを要する画像データが第２の画像データ用ＨＤＤ９０のＨＤに記憶されていない場合（ステップＳ７２で「ＮＯ」）、ステップＳ６１に戻る。
【００８８】
第２の画像データ用ＨＤＤ９０が省電力モードであるか否かの判断において（ステップＳ７３）、省電力モードでないと判断された場合は（ステップＳ７３で「ＮＯ」）、省電力モードは既に解除済みであるため解除する必要はなく、処理を終了する。一方、省電力モードであると判断された場合（ステップＳ７３で「ＹＥＳ」）、省電力モードが解除される（ステップＳ７４）。すなわち、第２の画像データ用ＨＤＤ９０は、省電力モードから通常モードへの移行を開始する。
【００８９】
次に、さらにメニュー項目が押下されると（ステップＳ６７）、メニュー表示部分１１２の表示内容が遷移し（ステップＳ６８）、押下されたメニュー項目に対応した処理が第２の画像データ用ＨＤＤ９０についてのアクセス要項目であるか否かが判断される（ステップＳ６９）。
アクセス要項目であると判断された場合（ステップＳ６９で「ＹＥＳ」）、通常モードへの移行が完了しているか否かが判断される（ステップＳ７０）。一方、第２の画像データ用ＨＤＤ９０の画像データにアクセスを要する処理についてのメニュー項目でない場合(ステップＳ６９で「ＮＯ」)、ステップＳ６７に戻る。
【００９０】
通常モードへの移行が完了しているか否かの判断において（ステップＳ７０）、通常モードへの移行が完了していると判断された場合（ステップＳ７０で「ＹＥＳ」）、処理を終了する。移行が完了していないと判断された場合（ステップＳ７０で「ＮＯ」）、メッセージ表示部１１１に「ＨＤＤ省電力モード解除中のため、お待ち下さい」とのメッセージが表示される（ステップＳ７１）。
【００９１】
＜その他＞
以上、本発明を実施の形態に基づいて説明してきたが、本発明の技術的範囲は上記実施の形態に限定されないことはいうまでもなく、次のような変形例を考えることができる。
（１）本発明に係る画像形成装置は、ＭＦＰに限らず、装置外から入力されたデータを装置内に保存することのできるコピー機、ファクシミリ機等の単体の装置であっても良い。
【００９２】
（２）本発明に係る記憶装置は、ＨＤＤに限らず、光磁気記憶装置などのリード・ライト可能な記憶装置であれば良い。また、記憶装置は、１つまたは２つに限定されず３つ以上であっても良い。さらに、記憶装置で保存するデータは、画像データに限定されず、テキストデータや音声データなど画像データ以外のデータであっても良い。
加えて、アプリケーション用記憶装置は必須ではなく、ＯＳなどのプログラムや、アクセス情報テーブル、重要性情報テーブルおよび再利用性情報テーブルなどがデータ記憶用の記憶装置に書き込まれる構成であっても良い。さらに、アプリケーション用記憶装置のモードを画像データ用記憶装置と同様に制御しても良い。
【００９３】
（３）本発明に係る記憶装置は、第１から第３の実施形態を適宜組み合わせた構成であっても良い。
＜画像形成装置における記憶装置の制御方法＞
本発明は、画像形成装置に限られず、当該画像形成装置における記憶装置の制御方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００９４】
また、本発明に係る画像形成装置における記憶装置の制御方法は、上記に説明した処理をコンピュータに実行させるための全てのモジュールを含んでいる必要はなく、例えば通信プログラムやＯＳに含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【産業上の利用可能性】
【００９５】
本発明に係る画像形成装置は、ＭＦＰ、プリンタ、コピー機、ファクシミリ機などに利用できる。
【図面の簡単な説明】
【００９６】
【図１】第１の実施形態に係る画像形成装置の概略構成を示すブロック図である。
【図２】操作部を示す平面図である。
【図３】コピージョブのメニュー項目の階層構造を示す図である。
【図４】コピージョブにおけるメニュー表示部分の表示内容の遷移を説明する図である。
【図５】省電力モード解除処理の内容を説明するフローチャートである。
【図６】アクセスの可能性を判断する処理の内容を説明するフローチャートである。
【図７】ボックスジョブのメニュー項目の階層構造を示す図である。
【図８】ボックスジョブにおけるメニュー表示部分の表示内容の遷移を説明する図である。
【図９】第１の実施形態の変形例に係るスキャンジョブのメニュー項目の階層構造を示す図である。
【図１０】第１の実施形態の変形例に係るスキャンジョブにおけるメニュー表示部分の表示内容の遷移を説明する図である。
【図１１】第１の実施形態の変形例に係るアクセスの可能性を判断する処理の内容を説明するフローチャートである。
【図１２】第１の実施形態の変形例に係るファックスジョブのメニュー項目の階層構造を示す図である。
【図１３】第１の実施形態の変形例に係るファックスジョブにおけるメニュー表示部分の表示内容の遷移を説明する図である。
【図１４】第２の実施形態に係るコピージョブのメニュー項目の階層構造を示す図である。
【図１５】第２の実施形態に係るアクセスの可能性を判断する処理の内容を説明するフローチャートである。
【図１６】第３の実施形態に係る画像形成装置の概略構成を示すブロック図である。
【図１７】第３の実施形態に係る省電力モード解除処理の内容を説明するフローチャートである。
【符号の説明】
【００９７】
１，３００  画像形成装置
１１  実行手段
１２  項目検索手段
１３  記憶装置制御手段
７０，９０  記憶装置
１００  受付手段（表示手段）
【図１】
2008016975.tif 000003
【図２】
2008016975.tif 000004
【図３】
2008016975.tif 000005
【図４】
2008016975.tif 000006
【図５】
2008016975.tif 000007
【図６】
2008016975.tif 000008
【図７】
2008016975.tif 000009
【図８】
2008016975.tif 000010
【図９】
2008016975.tif 000011
【図１０】
2008016975.tif 000012
【図１１】
2008016975.tif 000013
【図１２】
2008016975.tif 000014
【図１３】
2008016975.tif 000015
【図１４】
2008016975.tif 000016
【図１５】
2008016975.tif 000017
【図１６】
2008016975.tif 000018
【図１７】
2008016975.tif 000019